(57)【要約】      （修正有）【課題】断熱性能を向上させるとともに、成型断熱材のコスト低減および強度の向上を図り、作業性の向上も図ることができる給湯装置の提供。【解決手段】貯湯缶体１の外郭に沿った形状の缶体用窪部を有し、この缶体用窪部の厚さを一定に保ちながら、表裏に対して交互となるように肉抜きして各々独立した空気溜まり部を設けた断熱材（前部）３を設けるので、空気溜まり部により空気層が形成され、貯湯缶体１の保温・断熱性を向上させる。また、給湯管５や給水管６が形成される箇所には、別途断熱材（上部）７や断熱材（下部）８を設けるので作業性が向上する。【選択図】図１
2007278650.tif 000002
【特許請求の範囲】
【請求項１】
複数の配管が接続した貯湯缶体と、前記貯湯缶体を収納する外装体と、前記貯湯缶体を囲ぎょうする成型断熱材とを備え、前記成型断熱材は、前記貯湯缶体の外郭に沿った形状である缶体用窪部と、前記缶体用窪部の複数域を一定以上の厚さを残しつつ外側と内側とから肉抜きして前記貯湯缶体の間に空間を形成する内側凹部と、前記外装体との間に空間を形成する外側凹部を有する給湯装置。
【請求項２】
成型断熱材に設けた内側凹部および外側凹部は、前記成型断熱材の表裏でそれぞれ交互に配置される請求項１記載の給湯装置。
【請求項３】
成型断熱材は、少なくとも前面断熱材と背面断熱材とから構成され、配管用接続口付近の貯湯缶体外郭と前記配管の一部分に対しては、前記成型断熱材とは異なる材質で囲ぎょうする請求項１または２記載の給湯装置。
【請求項４】
配管用接続口付近の貯湯缶体外郭と前記配管の一部分に対しては、ポリウレタンからなる材質で囲ぎょうする請求項３記載の給湯装置。
【発明の詳細な説明】
【技術分野】
【０００１】
本発明は、ヒートポンプ給湯機や電気温水器などの貯湯式給湯装置の貯湯缶体の断熱構成に関するものである。
【背景技術】
【０００２】
従来、この種の貯湯式給湯装置においては、ヒートポンプ等の外部加熱手段により加熱した温水を貯めるかあるいは内部の電熱ヒータで水を加熱し温水にして貯める貯湯缶体の保温・断熱を目的として、多層状の成型断熱材により貯湯缶体を囲ぎょうしていた（例えば、特許文献１参照）。
【特許文献１】特開２００４−１９７９６０号公報
【発明の開示】
【発明が解決しようとする課題】
【０００３】
しかしながら、前記従来の構成では、成型断熱材が多層状であるため、加工および成型が複雑となりコスト高になると共に、各層の剥離によって成型断熱材自体の強度の低下が見られるという課題を有していた。
【０００４】
また、配管用接続口付近の貯湯缶体外郭とその配管の一部分を囲ぎょうするためには、成型断熱材は配管用の窪部を有していなければならないため、加工および成型が複雑となりコスト高になると共に、製造組立時の作業性が低下するという課題も有していた。
【課題を解決するための手段】
【０００５】
前記従来の課題を解決するために、本発明における給湯装置は、複数の配管が接続した貯湯缶体と、貯湯缶体を収納する外装体と、貯湯缶体を囲ぎょうする成型断熱材とを備え、成型断熱材は、貯湯缶体の外郭に沿った形状である缶体用窪部と、缶体用窪部の複数域を一定以上の厚さを残しつつ外側と内側から肉抜きして貯湯缶体との間に空間を形成する凹部と、外装体との間に空間を形成する外側凹部を有する構成とした。
【０００６】
本構成によって、貯湯缶体及び外装体と成型断熱材との間に空間部が形成され、その空間部によって断熱性能が向上し、成型断熱材を多層状にしなくても同等の断熱効果が得られ、コストの低減および成型断熱材の強度の向上が図られるものである。
【発明の効果】
【０００７】
本発明の給湯装置は、断熱性能を向上させるとともに、成型断熱材のコスト低減および強度の向上を図り、作業性の向上も図ることができる。
【発明を実施するための最良の形態】
【０００８】
第１の発明は、複数の配管が接続した貯湯缶体と、前記貯湯缶体を収納する外装体と、前記貯湯缶体を囲ぎょうする成型断熱材とを備え、前記成型断熱材は、前記貯湯缶体の外郭に沿った形状である缶体用窪部と、前記缶体用窪部の複数域を一定以上の厚さを残しつつ外側と内側から肉抜きして前記貯湯缶体との間に空間を形成する内側凹部と、外装体との間に空間を形成する外側凹部を有する構成とした。
【０００９】
この空間部の形成によって、断熱性能が向上し、成型断熱材を多層状にしなくても同等の断熱効果が得られ、コストの低減および成型断熱材の強度の向上が図られるものである。
【００１０】
第２の発明は、特に第１の発明において、成型断熱材に設けた内側凹部および外側凹部は、前記成型断熱材の表裏でそれぞれ交互に配置される構成とした。
【００１１】
これによって、同等のコストおよび重量において、成型断熱材の強度の低下を防ぐことができるものである。
【００１２】
第３の発明は、特に第１または第２の発明において、成型断熱材は、少なくとも前面断熱材と背面断熱材とから構成され、配管用接続口付近の貯湯缶体外郭と前記配管の一部分に対しては、前記成型断熱材とは異なる材質で囲ぎょうする構成とした。
【００１３】
これによって、配管用の窪部を形成するために複雑な加工および成型をする必要がなくなり、コストの低減を図るとともに作業性の低下を防ぐことができるものである。
【００１４】
また、第４の発明は、特に第３の発明において、配管用接続口付近の貯湯缶体外郭と前記配管の一部分に対しては、ポリウレタンからなる材質で囲ぎょうする構成とした。
【００１５】
これによって、従来におけるグラスウールのような面状断熱材の課題点であった作業性の低下等を招くことなく同等の断熱効果が得られるものである。
【００１６】
以下、本発明の実施の形態について、図面を参照しながら説明する。なお、この実施の形態によって本発明が限定されるものではない。
【００１７】
（実施の形態）
図１は、本発明の第１の実施の形態における給湯装置の図を示すものである。
【００１８】
図１において、貯湯缶体１は、断熱材（後部）２と断熱材（前部）３により貯湯缶体１の外郭に沿って囲ぎょうされており、その全体が外装体４に収納されている。断熱材（後部）２及び断熱材（前部）３は、発泡ポリプロピレンや発泡ポリスチレン等の発泡材で形成されるものとする。
【００１９】
貯湯缶体１の上部からは給湯管５が接続されており、その箇所は断熱材（上部）７によって覆われている。また、貯湯缶体１の下部からは給水管６が接続されており、その箇所は断熱材（下部）８によって覆われている。断熱材（上部）７及び断熱材（下部）８は、グラスウール等で形成され、断熱材（後部）２や断熱材（前部）３とは異なる材質とする。
【００２０】
断熱材（前部）３の構成に関しては、図２において詳細に説明する。断熱材（前部）３の内側には、一定間隔ごとに凹状の空気溜まり部９が設けられている。さらに、断熱材（前部）３の外側にも、同様の空気溜まり部９が設けられている。そして、これら断熱材（前部）３の内側と外側に設けられた空気溜まり部９は、内側と外側でそれぞれ交互となるように配置され、断熱材（前部）３は一定の厚みを保っている。図示しないが断熱材（後部）２の構成に関しても、上記した断熱材（前部）３の構成と同様に空気溜まり部９が形成されている。
【００２１】
なお、空気溜まり部９の形状・大きさ・配置の位置等に制限はなく、成型断熱材の本来の使用目的である保温・断熱性能および強度を十分保証できる範囲内であればよい。例えば、図３に示すように空気溜まり部１０の形状を四角形として断熱材（前部）３の内側または外側に格子状となるように設けてもよいし、図４に示すように空気溜まり部１０の形状を縦長の四角形として断熱材（前部）３の内側または外側に格子状となるように設けてもよい。ここで、図３、図４においては、内側と外側でそれぞれ交互となるように配置さ
れ、断熱材（前部）３は一定の厚みを保つことは言うまでもない。
【００２２】
以上のように、本実施の形態によれば、貯湯缶体１を囲ぎょうする断熱材（後部）２及び断熱材（前部）３の内側に空気溜まり部９を設けるので、空気溜まり部９により貯湯缶体１と断熱材（後部）２または断熱材（前部）３の間に空気層が形成され、その空気層により断熱効果が向上する。
【００２３】
また、断熱材（後部）２及び断熱材（前部）３の外側に空気溜まり部９を設けるので、断熱材（後部）２または断熱材（前部）３と外装体４との間に空気層が形成され、その空気層により断熱効果が向上するとともに、外部雰囲気温度の影響を受けにくくなる。
【００２４】
また、空気溜まり部９は断熱材（後部）２及び断熱材（前部）３の内側と外側でそれぞれ交互となるように配置されるので、一定の厚みを保つことにより所定の強度を保つことができる。
【００２５】
また、給湯管５や給水管６が形成される箇所には、断熱材（後部）２や断熱材（前部）３とは別に、断熱材（上部）７や断熱材（下部）８を設けるので、配管付近の加工しにくい形状であっても対応することができる。さらに、断熱材（上部）７や断熱材（下部）８の材質は、断熱材（後部）２や断熱材（前部）３とは異なる材質とすることにより、更に加工が行ないやすくなり、作業性も著しく良くなる。
【産業上の利用可能性】
【００２６】
以上のように、本発明にかかる貯湯装置は、貯湯缶体の保温・断熱性を向上させるとともに、製造組立時の工数がかからず効率的な作業を行うことができる。
【図面の簡単な説明】
【００２７】
【図１】本発明の実施の形態における貯湯缶体の構成概略図
【図２】本発明の実施の形態における成型断熱材の構成図
【図３】本発明の実施の形態における成型断熱材の別形態による構成図
【図４】本発明の実施の形態における成型断熱材の別形態による構成図
【符号の説明】
【００２８】
１  貯湯缶体
２  断熱材（後部）
３  断熱材（前部）
４  外装体
５  給湯管
６  給水管
７  断熱材（上部）
８  断熱材（下部）
９、１０、１１  空気溜まり部
【図１】
2007278650.tif 000003
【図２】
2007278650.tif 000004
【図３】
2007278650.tif 000005
【図４】
2007278650.tif 000006